【事件の表示】
　特願２０００−１６３５９８「水洗トイレ用薬剤供給具」拒絶査定不服審判事件〔平成１３年１２月１４日出願公開，特開２００１−３４２６６７〕について，次のとおり審決する。
【結　論】
　本件審判の請求は，成り立たない。
【理　由】
第１．手続の経緯 
　本願は，平成１２年５月３１日の出願であって，平成２１年１０月７日付けで拒絶査定がなされ，平成２２年１月１５日に審判請求がなされるとともに，同時に手続補正がなされたものである。 
　その後，当審において，同年１２月２７日付けで拒絶の理由を通知したところ，これに対して，平成２３年３月１７日受付けで意見書及び手続補正書が提出された。
　
第２．本願発明
　本願発明は，平成２３年３月１７日受付けの手続補正により補正された明細書の特許請求の範囲の請求項１〜３に記載された事項により特定されるものであると認められ，そのうち，請求項１に係る発明は次のとおりのものである。
　「【請求項１】　貯水タンク式水洗トイレの貯水タンク上蓋上に配置可能な供給具本体と，この供給具本体の底面部上に配置され液状の薬剤を含浸して保持し，かつこの保持した薬剤を水に溶解させる薬剤保持体と，液状の薬剤を収容するとともにこの薬剤を導出する導出孔が設けらた薬剤容器とを備え，この薬剤容器を前記供給具本体に支持して前記導出孔から薬液を導出し，該導出孔の下部に配置された前記薬剤保持体に供給する一方，放水タップから前記貯水タンク上蓋上に流下した水を前記薬液保持体に供給し保持されている前記薬剤を溶解させる水洗トイレ用薬剤供給具において，
　前記供給具本体は，上部開放状に形成されるとともに，前記薬剤保持体が配置された底面部の一方側のみに，前記放水タップから前記貯水タンク上蓋上に流下した水が流入する流入用開口部が設けられ，この流入用開口部から流入した水に溶解した前記薬剤が水とともに流出する流出用開口部が前記底面部の他方側のみに設けられたことを特徴とする水洗トイレ用薬剤供給具。」（以下，「本願発明」という。）
　
第３．引用刊行物とその記載事項
　刊行物１：実願平１−８５２５３号（実開平３−２５６６５号）
　　　　　　のマイクロフィルム
　刊行物２：特開平２−２２９３３３号公報
　刊行物３：実願平５−１００７号（実開平６−５７８７７号）
　　　　　　のＣＤ−ＲＯＭ
　
　ア．当審の拒絶の理由に引用され，本願出願前に日本国内において頒布された上記刊行物１には，次の事項が記載されている。  
　（1a）「2．実用新案登録請求の範囲
(1)　水洗トイレの貯水タンクの上面に載置される基盤と，該基盤の上面に設けられた揮散体と，該揮散体の上面に載置される固形の薬剤と，前記揮散体の上面に位置して前記薬剤を覆う椀状のケースとを具え，前記揮散体は前記ケースの外側まで広がっていることを特徴とする水洗トイレ用洗浄剤容器。
・・・」
　（1b）「この考案は・・・芳香・洗浄剤等の薬剤に一定量の水が接触するようにして，芳香・洗浄剤等の薬剤を一定にすることができるとともに，溶解した薬剤から発する香りをトイレの内部に漂わせることができる水洗トイレ用洗浄剤容器を提供することを目的とするものである。」（明細書４頁６〜１３行）
　（1c）「〔作用〕
　この考案は・・・椀状のケースの内部に位置して，上面に薬剤が載置されている揮散体の一部が前記ケースの外側まで延出していることにより，ケースの内部で溶解された薬剤が揮散体でケースの外側まで導かれて，薬剤の香りを漂わせることができることとなる。」（明細書５頁８〜１６行）
　（1d）「・・・この水洗トイレ用洗浄剤容器は，水洗トイレの貯水タンクの上面に載置される基盤１と，この基盤１の上面に載置される揮散体２と，前記基盤１の上面に載置した固形の薬剤（芳香・洗浄剤）４を覆うケース３とから構成されている。
　前記基盤１は，楕円状をなす基部５を有し，この基部５の前面側および後面側に起立部６，６が形成され，また，両側部には延出部７，７が形成され，この延出部７，７の前後端縁部には，湾曲しているとともに，中央部が他の部分よりも高く起立している被い部８，８の前後端が一体に連結されていて，この被い部８，８には複数のスリット９，９，……が形成されている。
　また，この基盤１は，その基部５の中央部に円形状の空所１０が穿設され，この空所１０に連なるスリット１１，１１，……が放射状に形成され・・・」（明細書６頁６行〜７頁３行）
　（1e）「・・・前記基盤１の上面を覆うケース３は椀状をなし，・・・ケース３を前記基盤１に被せたとき・・・」（明細書７頁９〜１６行）
　（1f）「・・・前記基盤１の上面に載置されている揮散体２は，板状をなすとともに，前記基部５および延出部７，７の上面に合致する形状をなし，両端部は前記ケース３の外側まで伸びて前記両被い部８，８の内面に対応するようになっている。」（明細書８頁１〜６行）
　（1g）「・・・各部材を組み立てる場合には，まず，前記基盤１の上面に前記揮散体２を位置する。
　この場合，前記揮散体２は，両側に延出部７，７が設けられた基盤１の上面に合致する大きさならびに形状となっているので前記基盤１の上面に確実に載置されるようになっている。
　こののち，前記揮散体２の上面に固形の薬剤（芳香・洗浄剤）４を位置し，前記基盤１の上面に前記ケース３を位置し，これで組立が終了する。」（明細書８頁７〜１７行）
　（1h）「・・・貯水タンク２０の上面に載置したこの考案による水洗トイレ用洗浄剤容器にあっては，前記ケース３の真上，もしくはそれ以外の場所の水道水の蛇口から滴下する水が貯水タンク２０の流水流入口２１に流人する際に，水位ｌが水洗トイレ用洗浄剤容器に対して第２図に鎖線で示す状態になる。
　したがって，前記基盤１の上面に揮散体２を介して載置された固形の薬剤（芳香・洗浄剤）４は水に浸漬されることにより溶解し，溶解された薬剤４の一部が水とともに流入流水口２１を介して貯水タンク２０の内部に流入して貯溜されることとなる。
　そして，前記溶解時にあっては，貯水タンク２０の上面の水位ｌが前記基盤１の上面に載置された固形の薬剤４の下面よりも高くなって，薬剤４が浸漬されることで溶解される・・・
　そして，上記のように前記ケース３の内部で溶解した薬剤４の一部は前記揮散体２に含浸されることとなり，揮散体２の内部を通って，水に浸漬されることのない両端部に導かれて前記基盤１の被い部８，８のスリット９，９，……を介して空気と接触し，芳香剤の芳ばしい香りがトイレ内に漂うこととなる。」（明細書９頁１５〜１１頁１０行）
　（1i）第２，４，５図には，上記（1d），（1h）の記載事項からみて，基盤１の被い部８，８の底部の開口と，基部５のスリット１１，１１，……及び空所１０が，蛇口から貯水タンク２０の上面に滴下した水が流入し，流入した水に溶解した薬剤が水とともに流出する開口部として機能していることが，記載されている。
　
　そして，上記（1h）の「基盤１の上面に揮散体２を介して載置された固形の薬剤（芳香・洗浄剤）４は水に浸漬されることにより溶解」する際に，同時に揮散体２に保持した薬剤が水に溶解することは自明であるから，
　そうすると，上記記載事項及び当業者の技術常識からみて，刊行物１には次の発明が記載されていると認められる。
　「水洗トイレの貯水タンク２０の上面に載置可能な基盤１と，この基盤１の基部５上に載置され固形の薬剤４から溶解した薬剤の一部を含浸して保持し，かつこの保持した薬剤を水に溶解させる揮散体２と，前記固形の薬剤４を覆うケース３とを備え，このケース３内の前記固形の薬剤４から溶解した薬剤の一部を前記固形の薬剤４の下部に配置された前記揮散体２に含浸する一方，蛇口から前記貯水タンク２０の上面に滴下した水を前記揮散体２を介して前記固形の薬剤４に供給し，前記固形の薬剤４と前記揮散体２に保持した薬剤を溶解させる水洗トイレ用洗浄剤容器において，
　前記基盤１は，被い部８，８にスリット９，９，……が形成されるとともに，前記揮散体２が載置された前記基部５に，前記蛇口から前記貯水タンク２０の上面に滴下した水が流入し，流入した水に溶解した薬剤が水とともに流出する開口部が設けられた水洗トイレ用洗浄剤容器。」（以下，「刊行物１記載の発明」という。）
　
　イ．同じく，上記刊行物２には，次の事項が記載されている。  
　（2a）「2．特許請求の範囲
１　液体の流出する吐出口を有する液体芳香清浄剤を収納した容器と，吐出口より流出した液体芳香清浄剤が浸透し保持される浸透部と，容器を吐出口を下向きにしてタンク上に支持する補助台とからなり，該浸透部に保持された液体芳香清浄剤を手洗い水により溶解してタンク内に流入せしめるようにしたことを特徴とするオンタンク式水洗トイレ用液体芳香清浄剤装置。」
　（2b）「本発明の液体芳香洗浄剤装置は吐出口４を有する液体芳香洗浄剤５を収納した容器１，液体芳香洗浄剤の浸透部２，貯水タンク上で容器１を吐出口４を下向きにして支持する補助台３からなる。吐出口４には適当な大きさの小孔４’が設けられていて液体が少量ずつ流下していくようになっている。
　液体芳香洗浄剤５は容器１の下部の吐出口４に接して設けられた浸透部２に浸透し・・・」（２頁右上欄４〜１２行）
　（2c）「フラッシュ時の手洗い水６は容器１の外側を流下し，さらに浸透部２の全面に拡がって，その中に保持された清浄剤を溶解して貯水槽の穴７’を通って貯水槽７に流入する。・・・」（２頁右上欄１９行〜左下欄２行）
　（2d）「・・・浸透部はフラッシュ１回分の芳香清浄剤を保持できるものであればよく，その材質，形状は特に限定されない。例えば第１図に示したような金網メッシュを重ねたものでも，また第２図に示したような吐出口４から貯水槽の穴７’内へ延びるように設けられた筒状の浸透部でもよい。」（２頁右下欄７〜１３行）
　
　ウ．同じく，上記刊行物３には，次の事項が記載されている。  
　（3a）「【実用新案登録請求の範囲】
【請求項１】  内部に固型薬剤を収納するとともに，貯水タンクの受皿に載置され，該受皿に供給される水に前記固型薬剤を接触させる洗浄剤容器であって，下部が閉塞し，閉塞した下部に開口部が形成され，この開口部の周縁部にじゃま板が設けられたことを特徴とする洗浄剤容器。
【請求項２】  内部に固型薬剤を収納するとともに，貯水タンクの受皿に載置され，該受皿に供給される水に前記固型薬剤を接触させる洗浄剤容器であって，上部が開口するとともに，下部が閉塞し，閉塞した下部に開口部が形成され，この開口部の周縁部にじゃま板が設けられたことを特徴とする洗浄剤容器。
【請求項３】  内部に固型薬剤を収納するとともに，貯水タンクの受皿に載置され，該受皿に供給される水に前記固型薬剤を接触させる洗浄剤容器であって，上部が開口するとともに，下部が閉塞し，閉塞した下部中央部が突出するとともに，この突出した部位以外の部位に開口部が形成され，この開口部の周縁部にじゃま板が設けられたことを特徴とする洗浄剤容器。
・・・」
　（3b）「【００２９】
  ・・・この洗浄剤容器１は，上部が開口するとともに，下部が閉塞した椀状をなし，閉塞した下部に開口部２が形成されている。
・・・
　【００３２】
  さらに，隣接する支持部６，６間であって，前記張出し部３の下面に，前記下部の中心から等距離に，かつ，下部の中心からの放射線に対して直交する向きにじゃま板７が設けられている。したがって，このじゃま板７は前記開口部２の開口周縁部の内周側に設けられていることになる。
・・・
　【００３７】
  ・・・前記洗浄剤容器１の下部には前記じゃま板７が位置するため，孔１３に向かって流れてきた水は，このじゃま板７に当たって上方に向きを変え，開口部２を介して洗浄剤容器１の内部に流入し，この流入した水は前記固型薬剤１１と接触して，これを溶解させる。そして，洗浄剤，芳香剤，殺菌剤等の薬剤を含む水が再び開口部２を介して，洗浄剤容器１の外部に流出し・・・」
　（3c）「【００４０】
  この洗浄剤容器２１は，上部が開口するとともに，下部が閉塞し，閉塞した下部中央部が突出するとともに，この突出した部位以外の部位に開口部２２が形成されている。
　【００４１】
  すなわち，この洗浄剤容器２１の下部は中央部から外側に傾斜面２３が形成されていて，この傾斜面２３に開口部２２が形成され，この開口部２２は周方向に所定の間隔で５箇所形成されている。
　【００４２】
  また，前記傾斜面２３には，中心から所定の距離であるとともに，中心からの放射線に対して直交する向きに，かつ，前記開口部２２を横断するようにじゃま板２７が設けられている。したがって，このじゃま板２７は前記開口部２２の開口周縁部の内周側に設けられていることになる。
・・・
　【００４５】
  ・・・また，前記開口部２２の下端側は前記受皿１２に形成した孔１３に開口し，じゃま板２７で上方に向きを変えた水が前記固型薬剤１１を溶解して，開口部２２から貯水タンク１０の内部に流入するようになっている。・・・」
　
第４．本願発明と刊行物１記載の発明の対比
　本願発明と刊行物１記載の発明を対比すると，
　刊行物１記載の発明の「水洗トイレ」が本願発明の「貯水タンク式水洗トイレ」に相当し，以下同様に，「貯水タンクの上面」が「貯水タンク上蓋上」に，「載置」が「配置」に，「基盤」が「供給具本体」に，「基部」が「底面部」に，「揮散体」が「薬剤保持体」に，「蛇口」が「放水タップ」に，「滴下」が「流下」に，「水洗トイレ用洗浄剤容器」が「水洗トイレ用薬剤供給具」に，「被い部にスリットが形成される」ことが「上部開放状に形成される」ことに，それぞれ相当する。
　また，刊行物１記載の発明の「固形の薬剤から溶解した薬剤の一部を含浸して保持（する）・・・揮散体と，前記固形の薬剤を覆うケースとを備え，このケース内の前記固形の薬剤から溶解した薬剤の一部を前記固形の薬剤の下部に配置された前記揮散体に含浸する一方，・・・水を前記揮散体を介して前記固形の薬剤に供給し，前記固形の薬剤と前記揮散体に保持した薬剤を溶解させる」ことと，本願発明の「液状の薬剤を含浸して保持（する）・・・薬剤保持体と，液状の薬剤を収容するとともにこの薬剤を導出する導出孔が設けらた薬剤容器とを備え，この薬剤容器を供給具本体に支持して前記導出孔から薬液を導出し，該導出孔の下部に配置された前記薬剤保持体に供給する一方，・・・水を前記薬液保持体に供給し保持されている前記薬剤を溶解させる」ことは，「薬剤を含浸して保持（する）・・・薬剤保持体と，薬剤を覆う薬剤容器とを備え，この薬剤容器内の薬剤を前記薬剤容器の下部に配置された前記薬剤保持体に供給する一方，・・・水を前記薬液保持体に供給し保持されている前記薬剤を溶解させる」ことである点で共通し，
　刊行物１記載の発明の「基部に，・・・水が流入し，・・・薬剤が水とともに流出する開口部が設けられた」ことと，本願発明の「底面部の一方側のみに，・・・水が流入する流入用開口部が設けられ，・・・薬剤が水とともに流出する流出用開口部が前記底面部の他方側のみに設けられた」こととは，「底面部に，水が流入し，・・・薬剤が水とともに流出する開口部が設けられた」ことである点で共通する。
　
　そうすると，両者は，
　「貯水タンク式水洗トイレの貯水タンク上蓋上に配置可能な供給具本体と，この供給具本体の底面部上に配置され薬剤を含浸して保持し，かつこの保持した薬剤を水に溶解させる薬剤保持体と，薬剤を覆う薬剤容器とを備え，この薬剤容器内の薬剤を前記薬剤容器の下部に配置された前記薬剤保持体に供給する一方，放水タップから前記貯水タンク上蓋上に流下した水を薬液保持体に供給し保持されている薬剤を溶解させる水洗トイレ用薬剤供給具において，
　前記供給具本体は，上部開放状に形成されるとともに，前記薬剤保持体が配置された底面部に，前記放水タップから前記貯水タンク上蓋上に流下した水が流入し，流入した水に溶解した前記薬剤が水とともに流出する開口部が設けられた水洗トイレ用薬剤供給具。」である点で一致し，次の点で相違する。
　
　（相違点１）
　水に薬剤を溶解させるための構成について，本願発明では，薬剤容器が「液状の薬剤を収容するとともにこの薬剤を導出する導出孔が設けらた」ものであって，この薬剤容器を「供給具本体に支持して前記導出孔から薬液を導出し，前記導出孔の下部に配置された薬剤保持体に供給する一方」，「水を前記薬液保持体に供給し保持されている前記薬剤を溶解させる」ものであるに対して，
　刊行物１記載の発明では，薬剤容器が「固形の薬剤を覆う」ものであって，この薬剤容器「内の前記固形の薬剤から溶解した薬剤の一部を前記固形の薬剤の下部に配置された薬剤保持体に含浸する一方」，「水を前記薬剤保持体を介して前記固形の薬剤に供給し，前記固形の薬剤と前記薬剤保持体に保持した薬剤を溶解させる」ものである点。
　
　（相違点２）
　底面部に設けられた開口部について，本願発明では，底面部の「一方側のみに」水が流入する「流入用開口部」が設けられ，「他方側のみに」薬剤が水とともに流出する「流出用開口部」が設けられているのに対して，
　刊行物１記載の発明では，開口部に流入用と流出用という区別が明確になく，水が流入し薬剤が水とともに流出する開口部が設けられている点。
　
第５．当審の判断
　上記各相違点について，以下に検討する。
　（相違点１について）
　まず，上記相違点１について検討するために，刊行物２の上記第２．２．（１）のイ．の記載をみると，該刊行物２により，上記相違点１に係る「薬剤容器（［容器］。［　］内は刊行物２の用語を示す。以下同様。）が液状の薬剤（［液体芳香洗浄剤］）を収容（［収納］）するとともにこの薬剤を導出する導出孔（［小孔］）が設けられたものであって，この薬剤容器を供給具本体（［補助台］）に支持して前記導出孔から薬液を導出し，前記導出孔の下部に配置された薬剤保持体（［浸透部］）に供給する一方，水を前記薬液保持体に供給し保持されている前記薬剤を溶解させる」こと（以下，「刊行物２記載の発明」という。）は，本願出願時において既に公知である。
　そして，刊行物１，２記載の発明は，いずれも薬剤保持体を備えて水に薬剤を溶解させる水洗トイレ用薬剤供給具に係るものであるから，刊行物１記載の発明の水に薬剤を溶解させるための構成として，刊行物２記載の発明のものを適用し，「液状の薬剤を含浸して保持（する）・・・薬剤保持体と，液状の薬剤を収容するとともにこの薬剤を導出する導出孔が設けらた薬剤容器とを備え，この薬剤容器を供給具本体に支持して前記導出孔から薬液を導出し，該導出孔の下部に配置された前記薬剤保持体に供給する一方，・・・水を前記薬液保持体に供給し保持されている前記薬剤を溶解させる」構成とすることは，当業者が容易に想到し得たことである。
　したがって，刊行物１，２記載の発明に基づいて，上記相違点１に係る事項とすることは，当業者が容易に想到し得たことである。
　
　（相違点２について）
　次に，上記相違点２について検討するにあたり，まず上記相違点２に係る本願発明の「流入用開口部」及び「流出用開口部」について検討するに，本願明細書には，両開口部に関わる説明として，
　「【００１８】
　底面部２１には，前面部２２の基端との間に流出用開口部３２が形成されており，背面部２３との間に一対の流入用開口部３１が形成されている。流入用開口部３１には，ガイド部材としての邪魔板３０が設けられており，この邪魔板３０は，基端部を底面部２１に結合され先端部側が徐々に下降した傾斜状に形成されている。・・・」，
　「【００２９】
　この使用状態において，放水タップ１０７からの水は，水はタンク貯水タンク上蓋１０６の表面に沿って穴１０８方向に流動する際に，邪魔板３０により流動を阻害されて，流入用開口部３１から供給具本体２内に流入する。この供給具本体２内に流入した水は，含浸体４に含浸されている薬剤を溶解させ，しかる後に，流出用開口部３２及び円形孔２６から流出し，・・・」，
　「【００３０】
　このとき，放水タップ１０７から吐出した水は，必ずしもその全てが流入用開口部３１から供給具本体２内に流入するとは限らず，該供給具本体２内への流入量は，流入用開口部３の面積，邪魔板３０の大きさや角度に応じた量となる。したがって，流入用開口部３の面積，邪魔板３０の大きさや角度をチューニングしつつ設計を行うことにより，流入する水の量を制御することができる。・・・」，
　「【００３２】
　また，放水タップ１０７からの単位時間当たりの放水量が多い場合には，水は流入用開口部３１から流入して流出用開口部３２から流出するのみならず，両側開口部３５から流入しあるいは流出する。したがって，この場合には，供給具本体２内への水の流入量が増大し，含浸体４からの薬剤の溶解量も増大する。・・・」と記載され，
　さらに，本願の図面１，２には，流入用開口部３１及び流出用開口部３２が，いずれも供給具本体の底面に形成されていることが記載され，前記流出用開口部３２からの水の浸入を積極的に防ぐ構成，及び，前記流入用開口部３１からの水の流出を積極的に防ぐ構成は，特に見当たらない。
　以上の記載事項及び当業者の技術常識からみて，本願明細書に記載された水洗トイレ用薬剤供給具は，放水タップからの水の流下時において，その周囲を含浸体４（薬剤保持体）及び両側開口部３５を越えるか，或いはそれに近い水位の水に取り囲まれた場合には，含浸体４（薬剤保持体）及び両側開口部３５よりも低位に位置する流出用開口部３２は水の浸入を防ぎ得ないものであり，また，流入用開口部３１も，少なくとも水の流下の終盤以降は，水洗トイレ用薬剤供給具内の水の流出を防ぎ得ないものである。
　そうすると，本願発明の「水が流入する流入用開口部」とは，水の流出もあるものの，（邪魔板３０によって）他の開口よりは水が流入しやすい開口部であり，また，本願発明の「薬剤が水とともに流出する流出用開口部」とは，水の流入もあるものの，（積極的に水を流入させる構成を持たないため）他の開口よりは流出しやすい開口部であると解することができる。
　そのうえで，刊行物３の上記（3b），（3c）の記載事項をみると，刊行物３に記載された開口部２，２２のじゃま板７，２７より周縁部側は，じゃま板７，２７によって上方に向きを変えた水が流入するための開口であって，他の開口よりは水が流入しやすいものであるから，本願発明の「流入用開口部」に相当するものであり，同様に，開口部２，２２のじゃま板７，２７より中心部側は，本願発明の「流出用開口部」に相当するものであって，
　刊行物３には，「底面部（［洗浄剤容器の下部］。［　］内は刊行物３の用語を示す。以下同様。）に，水が流入する流入用開口部が設けられ，かつ，薬剤が水とともに流出する流出用開口部が設けられている水洗トイレ用薬剤供給具（［洗浄剤容器］）。」（以下，「刊行物３記載の発明」という。）が，記載されていると認められ，この刊行物３記載の発明の「流入用開口部」及び「流出用開口部」を，同一の技術分野に属する刊行物１記載の発明の開口部に適用することは，当業者が容易に想到し得たことである。
　そして，各開口部の位置は，薬剤が水により適切に溶解しやすいように，供給具本体の形状等を考慮して当業者が適宜決定するべき配置上の設計的事項に過ぎないから，刊行物１記載の発明に刊行物３記載の発明の「流入用開口部」及び「流出用開口部」を適用するに際して，上記相違点２のごとく底面部の「一方側のみに」流入用開口部を設け，「他方側のみに」流出用開口部を設けることは，当業者が適宜なし得たことに過ぎない。
　したがって，刊行物１記載の発明に刊行物３記載の発明を適用して，「底面部の一方側のみに，・・・水が流入する流入用開口部が設けられ，・・・薬剤が水とともに流出する流出用開口部が前記底面部の他方側のみに設けられた」構成として，上記相違点２に係る事項とすることは，当業者が容易に想到し得たことである。
　
　そして，本願発明が奏するとされる効果について検討するに，本願明細書の【発明の効果】に記載された，「薬剤保持体に保持された薬剤を効果的に外部に揮散させて，周囲空間に十分な薬剤効果を発生させることができる」との効果は，刊行物１記載の発明から予測可能なものであり，
　「流入用開口部の面積に応じて流入する水の量を制御することができ，流入する水の量により溶解する薬剤の量を制御して，該溶解する薬剤の量を適正に維持することができる」との効果は，本願発明を特定する事項に，流入用開口部の面積を調整変化させる構成が見出せないので，本願発明が奏する効果とは認められず，また，仮に，単に流入用開口部を設けたことによる効果であるとしても，それは刊行物３記載の発明から自明なものであり，
　「水が薬剤容器内に吸引されてしまう現象が発生することもない」との効果は，刊行物１記載の発明に刊行物２記載の発明を適用することによって自ずと奏され，予測可能なものであって，いずれの効果も格別なものではない。
　
　よって，本願発明は，刊行物１〜３記載の発明に基づいて当業者が容易に発明することができたものである。 
　
第６　むすび 
　以上のとおり，本願発明は，特許法第２９条第２項の規定により特許を受けることができないものであるから，本願の他の請求項に係る発明について検討するまでもなく，本願は拒絶されるべきである。 
　よって，結論のとおり審決する。